(57)【要約】      （修正有）【課題】痩せ船型でも進水喫水を減じ、現状のドック設備でも痩せ船型の船舶を進水および建造可能とする進水用補助設備を利用した進水方法を提供する。【解決手段】内側に建造される船舶Ｓを配置可能に開口された上部ヒールタンク、ボイドスペース、下部ヒールタンク、および中央タンクからなるドック進水用船首尾補助設備５０をドック渠底上で建造される船舶の船首部及び船尾部に配置する手順と、前記ドック進水用船首尾補助設備内に建造される船舶を搭載する手順と、建造される船舶が完成すると、ドックに注水し、当該船舶を前記ドック推進用船首尾補助設備ごと浮上させる手順と、船舶の浮上後、前記ドック推進用船首尾補助設備を船舶に据付たままの状態でドック外に引き出し移動し、前記ドック推進用船首尾補助設備内の前記中央タンクへ注水し、前記ドック推進用船首尾補助設備を沈降させ、船舶から離脱させる手順と、からなる。【選択図】図４
2011057090.tif 000002
【特許請求の範囲】
【請求項１】
内側に建造される船舶および／またはセミタンデム（Semi-Tandem）建造の際のブロックを配置可能に開口された当該上部開口の両上部に設けられた上部ヒールタンク、当該両上部ヒールタンクの下部にそれぞれ設けられるボイドスペース、前記それぞれのボイドスペースの下部にそれぞれ設けられた下部ヒールタンク、前記それぞれの下部ヒールタンク間に設けられた中央タンクからなるドック進水用船首尾補助設備をドック渠底上で建造される船舶の船首部及び船尾部に配置する手順と、
建造される船舶および／またはブロックの船首部及び船尾部に配置された前記ドック進水用船首尾補助設備内に建造される船舶及び／またはブロックを搭載する手順と、
建造される船舶および／またはブロックが完成すると、ドックに注水し、当該船舶および／またはブロックを前記ドック推進用船首尾補助設備ごと浮上させる手順と、
船舶および／またはブロックの浮上後、前記ドック推進用船首尾補助設備を船舶に据付たままの状態で、完成した船舶はドック外に引き出し移動し、前記ブロックは、ドック外で係留し待機させる手順と、
前記ドック推進用船首尾補助設備内の前記中央タンクへ注水し、前記ドック推進用船首尾補助設備を沈降させ、船舶から離脱させる手順と、
からなることを特徴とするドック進水用補助設備を用いた船舶進水方法。
【請求項２】
前記船舶および／またはブロックを前記ドック推進用船首尾補助設備ごと浮上させる手順の際に、前記進水用補助設備内の前記上部ヒールタンク、前記下部ヒールタンク、前記中央タンクに移水・注排水を行うことでトリム・ヒール調整を行うことを特徴とする請求項１に記載のドック進水用補助設備を用いた船舶進水方法。
【請求項３】
前記船舶および／またはブロックを前記ドック推進用船首尾補助設備ごと浮上させる手順の際のトリム調整は、前記船首部進水用補助設備または船尾部進水用補助設備のいずれか前記ドック推進用船首尾補助設備のうち、非トリム側前記ドック推進用船首尾補助設備の中央タンクに注水することにより行うことを特徴とする請求項２に記載のドック進水用補助設備を用いた船舶進水方法。
【請求項４】
前記船舶および／またはブロックを前記ドック推進用船首尾補助設備ごと浮上させる手順の際のヒール調整は、前記船首部進水用補助設備または船尾部進水用補助設備のいずれか前記ドック推進用船首尾補助設備のうち、ヒール側の前記上部ヒールタンクから、反対舷の下部ヒールタンクへ移水することにより行うことを特徴とする請求項２に記載のドック進水用補助設備を用いた船舶進水方法。
【請求項５】
前記船舶および／またはブロックを前記ドック推進用船首尾補助設備ごと浮上させる手順の後、前記ドック推進用船首尾補助設備が離脱した船舶を艤装岸壁へ移動し、船舶を艤装岸壁へ着岸させる手順と、
からなることを特徴とする請求項１に記載のドック進水用補助設備を用いた船舶進水方法。
【請求項６】
前記ドック推進用船首尾補助設備内の前記中央タンクへ注水し、前記ドック推進用船首尾補助設備を沈降させ、船舶から離脱させる手順の後、離脱された前記ドック推進用船首尾補助設備の前記中央タンク内の水を排水し、当該ドック推進用船首尾補助設備を浮揚させる手順と、
からなることを特徴とする請求項１に記載のドック進水用補助設備を用いた船舶進水方法。
【請求項７】
前記ドック推進用船首尾補助設備を浮揚させる手順の後に、当該ドック推進用船首尾補助設備をドック内に移動し、クレーンにより前記ドック推進用船首尾補助設備を回収し、工場内に保管する手順と、
からなることを特徴とする請求項６に記載のドック進水用補助設備を用いた船舶進水方法。
【請求項８】
排水されたドック内に、前記ドック推進用船首尾補助設備を配置した後に、セミタンデム（Semi-Tandem）建造の後続の船尾構造（セミタン船）を配置することを特徴とする請求項１に記載のドック進水用補助設備を用いた船舶進水方法。
【請求項９】
前記ドック進水用船首尾補助設備以外のドック渠底上には、所定の高さの盤木が配置され、当該ドック進水用船首尾補助設備内には、所定長さの設備内低盤木が前記盤木と高さをそろえて配置され、これらの盤木及び低盤木の上に、建造する船舶および／またはセミタンデム（Semi-Tandem）建造の各ブロックが載置されることを特徴とする請求項１に記載のドック進水用補助設備を用いた船舶進水方法。
【発明の詳細な説明】
【技術分野】
【０００１】
本発明は、ドック進水用補助設備を用いた船舶進水方法に関する。
【背景技術】
【０００２】
近年、世界中を航行する船舶に関しては、国際的な観点から、環境負荷低減の規則化が進められており、今後、建造を行う船舶については、ＣＯ２排出量（燃費）低減を念頭に入れた船型開発が必要になる。燃費削減には、航行抵抗を減じた船型の採用が不可欠であり、それに対応する船型は痩せ船型となり、痩せ船型の場合には、進水時の喫水は増大することとなる。特に、自動車運搬船においては、現状の船型でも進水による制約を受けており、今後は燃費削減を満たす船型がいっそう求められ、その場合には、進水条件において、厳しい条件をクリアしなければならないことが予想される。
【０００３】
従来、痩せ型の船型のスリップウェイ（船台）による進水では、船首尾の浮力が不足する傾向にあり、船首尾の浮力不足に対しては、進水が困難なため、箱状の浮力体を船首尾船側に取り付けて、進水作業を行う場合がある。ドック進水においてもこれを応用することが可能であり、例えば、特開２００７−１５６２号公報に掲示のものが知られている。
【０００４】
図５、図６は、当該特開２００７−１５６２号公報に図１及び図２として開示される「船舶の付加浮力進水装置」を船舶のエンジンルーム下部に設置した状態を示す正面図及び側面図であり、当該特開２００７−１５６２号公報に開示は、発明名称「船舶の付加浮力進水工法及びその装置」に係り、「船舶の内部または外部に浮力を付加して進水船舶の平衡状態を維持する、付加浮力による船舶の進水方法及び装置を提供する」ことを目的として（同公報要約課題参照）、「部分建造船舶の重量及び浮力によって決定された大きさを持つ浮力体を、船舶の底面または側面に配置させる段階と、前記船舶と浮力体とを固定させ、進水時に船舶の平衡を維持するための付加浮力を発生させる段階と、ドックに水を満たし、部分建造船舶及び完全建造船舶を進水させる段階と、前記完全建造船舶をドックから引き出す段階と、前記ドックの水を抜き、前記部分建造船舶を再びドックに沈めておく段階と、前記部分建造船舶と浮力体とを分離する段階と、からなる」ことにより（同公報特許請求の範囲請求項１の記載参照）、「バラストを詰め込む貨物倉を形成していない小さい長さの部分建造船舶及び大型ブロックの進水が可能になる」、「喫水が低減し、結果として、・・・より多くの意匠品やブロックを搭載した条件で進水可能になる」等の効果を奏するものである(同公報明細書段落番号００１７及び００１８参照）。
【０００５】
なお、図５、図６において、符号１０１は、浮力チャンバ、１０２は、浮力体、１０３は、柱、符号Ｓは、船舶である。
しかしながら、当該特開２００７−１５６２号公報に開示の「船舶の付加浮力進水工法及びその装置」は、進水後の浮力体１０２等の取り外しが必要であり、また、船体の塗装等の手直し・仕上作業を行うためには、再度入渠（ファイナルドック）させる必要があるという問題があった。
また、前述の浮力体１０２は、個船毎にサイズや取り付け位置が異なるため、同型シリーズ以外の船では使用することができないという問題があった。さらに、一般的に痩せ船型の進水作業は、満潮の高潮位を利用して行われるため、進水当日の潮位により時間的な制約を受けたり、場合によっては進水日の変更が必要になるという問題があった。
【先行技術文献】
【特許文献】
【０００６】
【特許文献１】特開２００７−１５６２号公報
【発明の概要】
【発明が解決しようとする課題】
【０００７】
そこで本発明は、上記の従来技術の問題点に鑑み、痩せ船型でも進水喫水を減じ、現状のドック設備でも環境対応船型である痩せ船型の船舶を進水および建造可能とする進水用補助設備（Launching Lifter）を利用した進水方法を提供することを目的とする。
【課題を解決するための手段】
【０００８】
上記の目的を達成するために、本願請求項１に係る発明は、ドック進水用補助設備を用いた船舶進水方法において、内側に建造される船舶および／またはセミタンデム（Semi-Tandem）建造の際のブロックを配置可能に開口された当該上部開口の両上部に設けられた上部ヒールタンク、当該両上部ヒールタンクの下部にそれぞれ設けられるボイドスペース、前記それぞれのボイドスペースの下部にそれぞれ設けられた下部ヒールタンク、前記それぞれの下部ヒールタンク間に設けられた中央タンクからなるドック進水用船首尾補助設備をドック渠底上で建造される船舶の船首部及び船尾部に配置する手順と、建造される船舶および／またはブロックの船首部及び船尾部に配置された前記ドック進水用船首尾補助設備内に建造される船舶及び／またはブロックを搭載する手順と、建造される船舶および／またはブロックが完成すると、ドックに注水し、当該船舶および／またはブロックを前記ドック推進用船首尾補助設備ごと浮上させる手順と、船舶および／またはブロックの浮上後、前記ドック推進用船首尾補助設備を船舶に据付たままの状態で、完成した船舶はドック外に引き出し移動し、前記ブロックは、ドック外で係留し待機させる手順と、前記ドック推進用船首尾補助設備内の前記中央タンクへ注水し、前記ドック推進用船首尾補助設備を沈降させ、船舶から離脱させる手順と、からなることを特徴とする。
また、本願請求項２に係る発明は、前記請求項１に係るドック進水用補助設備を用いた船舶進水方法において、前記船舶および／またはブロックを前記ドック推進用船首尾補助設備ごと浮上させる手順の際に、前記進水用補助設備内の前記上部ヒールタンク、前記下部ヒールタンク、前記中央タンクに移水・注排水を行うことでトリム・ヒール調整を行うことを特徴とする。
さらに、本願請求項３に係る発明は、前記請求項２係るドック進水用補助設備を用いた船舶進水方法において、前記船舶および／またはブロックを前記ドック推進用船首尾補助設備ごと浮上させる手順の際のトリム調整は、前記船首部進水用補助設備または船尾部進水用補助設備のいずれか前記ドック推進用船首尾補助設備のうち、非トリム側前記ドック推進用船首尾補助設備の中央タンクに注水することにより行うことを特徴とする。
また、本願請求項４に係る発明は、前記請求項２に係るドック進水用補助設備を用いた船舶進水方法において、前記船舶および／またはブロックを前記ドック推進用船首尾補助設備ごと浮上させる手順の際のヒール調整は、前記船首部進水用補助設備または船尾部進水用補助設備のいずれか前記ドック推進用船首尾補助設備のうち、ヒール側の前記上部ヒールタンクから、反対舷の下部ヒールタンクへ移水することにより行うことを特徴とする。
ついで、本願請求項５に係る発明は、前記請求項１に係るドック進水用補助設備を用いた船舶進水方法において、前記船舶および／またはブロックを前記ドック推進用船首尾補助設備ごと浮上させる手順の後、前記ドック推進用船首尾補助設備が離脱した船舶を艤装岸壁へ移動し、船舶を艤装岸壁へ着岸させる手順と、からなることを特徴とする。
また、本願請求項６に係る発明は、前記請求項１に係るドック進水用補助設備を用いた船舶進水方法において、前記ドック推進用船首尾補助設備内の前記中央タンクへ注水し、前記ドック推進用船首尾補助設備を沈降させ、船舶から離脱させる手順の後、離脱された前記ドック推進用船首尾補助設備の前記中央タンク内の水を排水し、当該ドック推進用船首尾補助設備を浮揚させる手順と、からなることを特徴とする。
本願請求項７に係る発明は、前記請求項６に係るドック進水用補助設備を用いた船舶進水方法において、前記ドック推進用船首尾補助設備を浮揚させる手順の後に、当該ドック推進用船首尾補助設備をドック内に移動し、クレーンにより前記ドック推進用船首尾補助設備を回収し、工場内に保管する手順と、からなることを特徴とする。
また、本願請求項８に係る発明は、前記請求項１に係るドック進水用補助設備を用いた船舶進水方法において、排水されたドック内に、前記ドック推進用船首尾補助設備を配置した後に、セミタンデム（Semi-Tandem）建造の後続の船尾構造（セミタン船）を配置することを特徴とする。
本願請求項９に係る発明は、前記請求項１に係るドック進水用補助設備を用いた船舶進水方法において、前記ドック進水用船首尾補助設備以外のドック渠底上には、所定の高さの盤木が配置され、当該ドック進水用船首尾補助設備内には、所定長さの設備内低盤木が前記盤木と高さをそろえて配置され、これらの盤木及び低盤木の上に、建造する船舶および／またはセミタンデム（Semi-Tandem）建造の各ブロックが載置されることを特徴とする。
【発明の効果】
【０００９】
本願発明は、上述のとおり構成されているので、次のような効果を奏する。
（１）進水後の浮力体の取り外しや塗装等の手直し・仕上作業を行うためのファイナルドックが不用となる。
（２）また、進水当日の潮位による時間的な制約を受けなくなり、進水日が変更されることがないという効果を有する。
（３）更に、ドライドックを建造する場合に本装置を用いることにより、比較的浅いドックを掘ることで充分となり、ドライドックの建造コストを低減することが可能という効果を有する。
【図面の簡単な説明】
【００１０】
【図１】図１は、本実施例１に係る船舶推進方法に用いる船舶のドック推進用船首尾補助設備５０の概略構成図、
【図２】図２は、本実施例１に係る船舶推進方法に用いる船舶のドック推進用船首尾補助設備５０を利用した場合の進水作業を行う場合の配置図、
【図３】図３は、図２のＡ−Ａ断面図、
【図４】図４は、本実施例１に係る船舶推進方法に用いる船舶のドック推進用船首尾補助設備５０を利用した場合の進水手順を示す図、
【図５】図５は、特開２００７−１５６２号公報に図１として開示される「船舶の付加浮力進水装置」の実施例の設置状態を示す正面図、
【図６】図６は、特開２００７−１５６２号公報に図２として開示される「船舶の付加浮力進水装置」の実施例の設置状態を示す側面図である。
【発明を実施するための形態】
【００１１】
本発明に係るドック進水用補助設備を用いた船舶進水方法を実施するための最良の形態の一実施例を詳細に説明する。
【実施例１】
【００１２】
〔船舶のドック進水用船首尾補助設備５０とそのドック内配置〕
まず、本発明に係るドック進水用補助設備を用いた船舶進水方法を実施する前提として、本実施例１に係る船舶進水方法に用いる船舶のドック進水用船首尾補助設備５０及びそのドック内配置について説明する。
【００１３】
図１は、本実施例１に係る船舶推進方法に用いる船舶のドック推進用船首尾補助設備５０の概略構成図であり、図２は、同配置図、図３は、図２のＡ−Ａ断面図である。図１、図２、図３において、符号５０は、本実施例１に係る船舶推進方法に用いる船舶のドック推進用船首尾補助設備であり、１は、本実施例１に係る船舶推進方法に用いる船舶のドック推進用船首尾補助設備を構成する上部ヒールタンク、２は、同ボイドスペース、３は、同下部ヒールタンク、４は、同中央タンク、５は、同エア抜き兼送気ライン、６は、同ヒールタンク移水ライン、７は、同ヒールタンク排水ライン、８は、同弁、９は、同船外排水ライン、１０、１１は同弁、１２は、同圧縮空気ボンベ、１３、１４は、同弁、Ｃ．Ｌ．は、船舶中心線であり、上記弁８、１０、１１は、操作ステーション１５から遠隔操作可能に構成される。また、図において、Ｓは、船舶、５０は、前記本実施例１に係る船舶推進方法に用いる船舶のドック推進用船首尾補助設備、６０は、渠底、７０は、盤木、８０は、設備内低盤木である。
【００１４】
図１に示すように、前記船舶のドック推進用船首尾補助設備５０は、建造する船舶Ｓを内部に収容できる上部開口断面矩形状の小型フローティングドック形状を有し、当該進水用補助設備５０の上部開口断面矩形状の両上部に設けられる前記上部ヒールタンク１、１、当該上部ヒールタンク１、１の下部に設けられた前記ボイドスペース２、２、当該ボイドスペース２、２の下部であって、かつ、前記進水用補助設備５０の底部に設けられた前記下部ヒールタンク３、３、さらには、前記下部ヒールタンク３、３の横で、かつ、前記進水用補助設備５０の底部に前記中央タンク４からなる。すなわち、前記進水用補助設備（Launching Lifter）５０は、図１に示すように、進水用補助設備５０の両上部に設けられた上部ヒールタンク１、１、該両上部ヒールタンク１、１の下部に設けられたボイドスペース２、２、該ボイドスペース２、２の下部に設けられ、かつ、該進水用補助設備５０の底部に設けられた下部ヒールタンク３、３が設けられ、該下部ヒールタンク３、３の間の前記進水用補助設備５０のの底部に前記中央タンク４が設けられる。
【００１５】
また、前記進水用補助設備５０には、前述するように、前記エア抜き兼送気ライン５、ヒールタンク移水ライン６、ヒールタンク排水ライン７、弁８、船外排水ライン９、弁１０、１１、圧縮空気ボンベ１２を設け、別途設けられる前記操作ステーション１５から遠隔操作によって、これらの弁８、１０、１１、１３、１４等を作動させて、前記上部ヒールタンク１、前記下部ヒールタンク３、前記中央タンク４に移水・注排水を行うことができるように構成されている。
【００１６】
そして、船舶Ｓを建造する際には、図１ないし図３に示すように、前記船舶のドック推進用船首尾補助設備５０は、建造する船舶Ｓのドック渠底６０上の前記船舶Ｓの船首部及び船尾部の二箇所に配置され、さらに、当該船舶のドック進水用船首尾補助設備５０以外の渠底６０上には、所定の高さの盤木７０が配置され、当該船舶のドック進水用船首尾補助設備５０内には、前記設備内低盤木８０が前記盤木７０と高さをそろえて配置され、これらの盤木７０及び低盤木８０の上に、建造する船舶Ｓの各ブロックが載置される。なお、本実施例１に係る船舶推進方法に用いる船舶のドック推進用船首尾補助設備５０においては、前記盤木７０として、１．８ｍ長さの盤木７０を用い、該進水用補助設備５０の底部の高さは略１ｍとし、該進水用補助設備５０の上に長さ０．８ｍの前記低盤木８０を用いる。
【００１７】
また、本実施例１に係る船舶推進方法に用いる船舶のドック推進用船首尾補助設備５０の総重量は、建造ドックのクレーン能力以下に、さらに、その浮力は、１５００〜２０００トン程度で、船舶の進水時の喫水を略０．５〜１．０ｍ程度を減じることが可能となるように総重量及び容積比を有する。
【００１８】
〔進水手順〕
建造される船舶Ｓが完成し、または、１つのドックで船舶をブロックに分けてブロック毎に順次すすめて建造するセミタンデム（Semi-Tandem）建造の際のブロックが完成すると、ドックに注水し、進水する場合には、次のような手順で行われる。
【００１９】
図４は、本実施例１に係る船舶推進方法に用いる船舶のドック推進用船首尾補助設備５０を利用した場合の進水手順を示す図であり、図４において、図４（１）は、手順１の概略を示す図であり、図４（２）は手順２の概略を示す図、図４（３）は手順３の概略を示す図、図４（４）は手順４の概略を示す図、図５（５）は手順５の概略を示す図である。
【００２０】
手順１は、船舶Ｓ進水の前段階たる建造する船舶Ｓまたはブロックを前記盤木７０及び低盤木８０上に搭載する手順であり、この搭載手順については、前記船舶のドック推進用船首尾補助設備５０のドック内配置として既に説明した。
なお、当該手順１においては、前述のセミタンデム（Semi-Tandem）建造の場合には、先行の建造船の進水時に、後続の船尾構造（セミタン船）も浮上させ、移動させる進水方法を取る場合においては、このセミタン船の進水前に該進水用補助設備５０付近のブロックの工事が完了していれば、前記低盤木８０が不用となり、前記盤木７０の高さを更に低く抑えられ、進水はより有利となる。
【００２１】
このような搭載状態で、建造される船舶Ｓが完成し、または、セミタンデム（Semi-Tandem）建造の際のブロックが完成すると、ドックに注水し、該進水用補助設備５０ごと船舶Ｓまたはブロックを前記船舶のドック推進用船首尾補助設備５０ごと浮上させる(手順２）。
【００２２】
この手順２において、本実施例１に係る船舶推進方法に用いる船舶のドック推進用船首尾補助設備５０を船舶Ｓと一緒に浮上させるようにするので、従来、進水時に調整用として船舶のバラストタンクに張水していたバラスト水は、艤装時に必要な最小の量のみを船舶のバラストタンクへ張水し、トリムについては該進水用補助設備を設置する位置によってトリム調整を行い、バラスト水の総量を最小限にすることが可能となる。
【００２３】
また、浮上時に発生する不測のトリム・ヒールについては、前記操作ステーション１５から遠隔操作によって、前記進水用補助設備５０内の前記エア抜き兼送気ライン５、ヒールタンク移水ライン６、ヒールタンク排水ライン７、弁８、船外排水ライン９、弁１０、１１、圧縮空気ボンベ１２を作動させて、前記上部ヒールタンク１、前記下部ヒールタンク３、前記中央タンク４に移水・注排水を行うことでトリム・ヒール調整を行う。
【００２４】
すなわち、進水時のトリム調整は、船首部進水用補助設備５０または船尾部進水用補助設備５０のいずれか（非トリム側）の弁１０を開き、中央タンク４に注水し、調整を行い、また、進水時のヒール調整は、前記弁１１を開き、ヒール側の前記上部ヒールタンク１から、重力にて反対舷の下部ヒールタンク３へ移水し、調整を行うようにする。
【００２５】
そして、船舶Ｓが完全に浮上したあとは、本実施例１に係る船舶推進方法に用いる船舶のドック推進用船首尾補助設備５０を船舶Ｓに据付たままの状態で、船舶Ｓをドック外にタグボートにて引き出し、充分な水深のある場所へ船舶Ｓを移動する(手順３)。なお、ここで、セミタン船は、ドック外で係留し待機させる。
次に、本実施例１に係る船舶推進方法に用いる船舶のドック推進用船首尾補助設備５０内の弁１０を開き、中央タンク４へ注水し満タンにし、本実施例１に係る船舶推進方法に用いる船舶のドック推進用船首尾補助設備５０を沈降させ、船舶Ｓから該進水用補助設備５０を離脱させ、船舶Ｓを艤装岸壁へ移動し、船舶Ｓを艤装岸壁へ着岸させる(手順４）。
【００２６】
ついで、本実施例１に係る船舶推進方法に用いる船舶のドック推進用船首尾補助設備５０内の弁１０は開いた状態で、前記弁１４を閉じたあと、さらに、前記弁１３を開き、これにより、中央タンク４内の水は圧縮空気により本実施例１に係る船舶推進方法に用いる船舶のドック推進用船首尾補助設備５０外へ排水され、本実施例１に係る船舶推進方法に用いる船舶のドック推進用船首尾補助設備５０は浮揚する(手順５）。
【００２７】
本実施例１に係る船舶推進方法に用いる船舶のドック推進用船首尾補助設備５０を再浮揚させ、必要に応じてヒール調整を行ったあと、ドック内に移動し、クレーンにより本実施例１に係る船舶推進方法に用いる船舶のドック推進用船首尾補助設備５０を回収し、工場内に進水用補助設備を保管する。
次の船型の同じ又は異なる船舶を建造時に該進水用補助設備を使用する場合には、ドックを排水し、所定の位置に本実施例１に係る船舶推進方法に用いる船舶のドック推進用船首尾補助設備５０を据え付けたあとに、セミタン船を据え付ける。よって、船型が異なる船舶を建造する場合にも本実施例１に係る船舶推進方法に用いる船舶のドック推進用船首尾補助設備５０を使用することが可能である。
【産業上の利用可能性】
【００２８】
本発明は、船舶のドック進水に利用することができ、特に、痩せ型の船型のドック進水における、船首尾の浮力不足が生じる進水に対して有効に利用することができる。
【符号の説明】
【００２９】
１ 上部ヒールタンク
２ ボイドスペース
３ 下部ヒールタンク
４ 中央タンク
５ エア抜き兼送気ライン
６ ヒールタンク移水ライン
７ ヒールタンク排水ライン
８ 弁
９ 船外排水ライン
１０ 弁
１１ 弁
１２ 圧縮空気ボンベ
１３ 弁
１４ 弁
１５ 操作ステーション
５０ ドック進水用船首尾補助設備
６０ ドック渠底
７０ 盤木
８０ 低盤木
１０１ 浮力チャンバ
１０２ 浮力体
１０３ 柱
Ｓ 船舶
【図１】
2011057090.tif 000003
【図２】
2011057090.tif 000004
【図３】
2011057090.tif 000005
【図４】
2011057090.tif 000006
【図５】
2011057090.tif 000007
【図６】
2011057090.tif 000008